(57)【要約】【課題】簡単な構成で回転操作ノブを保持するための保持部材が回路基板から離脱するのを抑制できる操作装置を提供する。【解決手段】回転操作ノブ１４０を回転可能に保持する保持部材６０に、回路基板２０に形成された貫通孔２２を挿通可能であるとともに回路基板２０と平行な特定方向に撓み変形可能な被係止部６７を設け、当該被係止部６７の後端に、特定方向一方側に突出して、被係止部６７が他方側に撓み変形するのに伴い他方側に所定量変位することで貫通孔２２を通過可能であるとともに貫通孔２２の通過後に被係止部６７の弾性復帰に伴い回路基板２０の裏側面に裏側から当接する被係止突起６７ｂを設け、リアカバー１０に、被係止突起６７ｂに他方側から当接して被係止突起６７ｂの他方側へ変位を所定量未満に規制する変形規制部１４を設ける。【選択図】図３
2011249097.tif 000002
【特許請求の範囲】
【請求項１】
パネルと、
表裏を貫通する貫通孔が形成されるとともにスイッチ素子が実装された状態で前記パネルの裏側に配置される回路基板と、
所定の回転軸を中心に回転するように回転操作されて前記スイッチ素子を操作する回転操作ノブと、
前記回路基板の表裏方向に延びて当該回路基板に形成された貫通孔を挿通可能な被係止部を有するとともに、前記回転操作ノブを回転可能に保持する保持部材と、
前記回路基板を裏側から覆うように前記パネルに取り付けられるリアカバーとを備え、
前記被係止部は、前記回路基板と平行な特定方向に撓み変形可能な形状を有するとともに、その裏側端に前記特定方向の一方側に突出する被係止突起を有し、
前記被係止突起は、前記被係止部が前記特定方向の他方側に撓み変形するのに伴いこの特定方向他方側に所定量変位することで前記貫通孔を通過可能であるとともに、この貫通孔の通過後に前記被係止部が弾性復帰するのに伴い前記回路基板の裏側面に裏側から当接して前記回路基板に係止される形状を有し、
前記リアカバーは、前記回路基板の裏側面に向かって突出して前記被係止突起に前記特定方向の他方側から当接可能な変形規制部を有し、
前記変形規制部は、前記被係止突起が前記回路基板に係止されるとともに前記リアカバーが前記パネルに取り付けられた状態において、前記被係止突起と当接することで当該被係止突起の前記特定方向の他方側へ変位を前記所定量未満に規制することを特徴とする操作装置。
【請求項２】
請求項１に記載の操作装置であって、
前記変形規制部は、前記被係止突起が前記回路基板に係止されるとともに前記リアカバーが前記パネルに取り付けられた状態において、前記被係止部が撓み変形していない位置で前記被係止突起と当接する形状を有することを特徴とする操作装置。
【請求項３】
請求項１または２に記載の操作装置であって、
前記リアカバーは、前記パネルに、前記回路基板と平行な方向に相対変位可能に取り付けられて、
前記保持部材は、前記回路基板に係止されている前記被係止突起の前記特定方向の他方側への変位を前記変形規制部が規制する位置に前記リアカバーを保持するリアカバー保持部を有することを特徴とする操作装置。
【請求項４】
請求項１から３のいずれかに記載の操作装置であって、
前記被係止部は、前記回転操作ノブの回転周方向に互いに等間隔となる位置に複数設けられており、前記貫通孔は、前記各被係止部と対応する位置に形成されていることを特徴とする操作装置。
【発明の詳細な説明】
【技術分野】
【０００１】
本発明は、回転操作される回転操作ノブを有する操作装置に関する。
【背景技術】
【０００２】
従来、自動車のインストゥルメントパネル等には、回転操作される回転操作ノブを備え、この回転操作ノブを回すことによってエアコンの温度や風量等の操作対象が操作されるようにした操作装置が設けられている。
【０００３】
例えば、特許文献１には、図８に示すような操作装置５０１が開示されている。この操作装置５０１は、スイッチ素子が実装される回路基板５２０と、回転操作されて前記スイッチ素子を操作する操作ノブ５４０と、この操作ノブ５４０と一体に回転可能に連結されるホルダー５５０と、前記回路基板５２０に係止されて前記ホルダー５５０および前記操作ノブ５４０を回転可能に保持する保持部材５６０（特許文献１におけるベース）とを有している。前記回路基板５２０には、その表裏を貫通する複数の貫通孔５２２が形成されている。前記保持部材５６０は、前記回路基板５２０の表裏方向に延びて前記貫通孔５２２に挿通される複数の被係止部５６７を有している。これら被係止部５６７の裏側端には、前記操作ノブ５４０の回転径方向外側に突出する被係止突起５６７ｂが設けられている。前記保持部材５６０は、前記被係止部５６７が前記貫通孔５２２に挿通されて前記被係止突起５６７ｂが回路基板５２０の裏側面に裏側から当接することで前記回路基板５２０に係止されている。
【先行技術文献】
【特許文献】
【０００４】
【特許文献１】特開２００８−４１６５４号公報
【発明の概要】
【発明が解決しようとする課題】
【０００５】
前記従来の操作装置５０１のように、前記保持部材５６０の被係止部５６７が回路基板５２０の貫通孔５２２に挿通されて、当該被係止部５６７の被係止突起５６７ｂが前記回路基板５２０の裏側面に当接することで保持部材５６０が回路基板５２０に係止されている場合では、これら被係止突起５６７ｂと貫通孔５２２の寸法設定が難しい。例えば、前記貫通孔５２２の孔径を小さくして前記被係止突起５６７ｂをこの貫通孔５２２に無理やり押し込むように設定した場合には、被係止突起５６７ｂを前記貫通孔５２２に挿通する作業すなわち前記保持部材５６０の回路基板５２０への取り付け作業が困難になる。一方、前記貫通孔５２２の孔径を大きくすると、保持部材５６０の取り付け作業は容易になるが、前記被係止突起５６７ｂが容易に前記貫通孔５２２を通過可能となることで、保持部材５６０を回路基板５２０に取り付けた後に前記被係止突起５６７ｂが貫通孔５２２を通過して回路基板５２０の表側に抜けて保持部材５６０が回路基板５２０から離脱してしまうおそれがある。
【０００６】
本発明は、このような事情に鑑み、保持部材の回路基板への取り付けを容易としつつこの保持部材の回路基板からの離脱を抑制することが可能な操作装置の提供を目的とする。
【課題を解決するための手段】
【０００７】
前記課題を解決するために、本発明は、パネルと、表裏を貫通する貫通孔が形成されるとともにスイッチ素子が実装された状態で前記パネルの裏側に配置される回路基板と、所定の回転軸を中心に回転するように回転操作されて前記スイッチ素子を操作する回転操作ノブと、前記回路基板の表裏方向に延びて当該回路基板に形成された貫通孔を挿通可能な被係止部を有するとともに、前記回転操作ノブを回転可能に保持する保持部材と、前記回路基板を裏側から覆うように前記パネルに取り付けられるリアカバーとを備え、前記被係止部は、前記回路基板と平行な特定方向に撓み変形可能な形状を有するとともに、その裏側端に前記特定方向の一方側に突出する被係止突起を有し、前記被係止突起は、前記被係止部が前記特定方向の他方側に撓み変形するのに伴いこの特定方向他方側に所定量変位することで前記貫通孔を通過可能であるとともに、この貫通孔の通過後に前記被係止部が弾性復帰するのに伴い前記回路基板の裏側面に裏側から当接して前記回路基板に係止される形状を有し、前記リアカバーは、前記回路基板の裏側面に向かって突出して前記被係止突起に前記特定方向の他方側から当接可能な変形規制部を有し、前記変形規制部は、前記被係止突起が前記回路基板に係止されるとともに前記リアカバーが前記パネルに取り付けられた状態において、前記被係止突起と当接することで当該被係止突起の前記特定方向の他方側へ変位を前記所定量未満に規制することを特徴とする操作装置を提供する。
【０００８】
この操作装置によれば、前記保持部材の前記回路基板への取付け作業を容易としつつこの保持部材が回路基板から離脱するのをより確実に抑制することができる。
【０００９】
すなわち、この操作装置では、前記被係止突起が、前記被係止部が撓み変形することで前記回路基板の貫通孔を通過し、この貫通孔の通過後に前記被係止部が弾性復帰することで回路基板に係止される形状を有しているとともに、前記リアカバーに、前記回路基板に係止されている前記被係止突起に当接してこの被係止突起の特定方向他方側への変位を所定量未満に規制する変形規制部が設けられている。そのため、前記被係止部を撓み変形させつつ前記被係止突起を前記貫通孔に挿通するという簡単な作業で前記被係止突起を回路基板に係止させ前記保持部材を回路基板に取り付けることができるとともに、前記リアカバーを前記パネルに取付けることで、前記変形規制部により前記被係止突起が前記貫通孔を通過して前記保持部材が回路基板から離脱するのが抑制される。
【００１０】
しかも、前記変形規制部は前記回路基板の裏側を覆うために操作装置に設けられるリアカバーに設けられているので、当該変形規制部を別部材で構成する場合に比べて、部品点数の増加が抑制される。
【００１１】
本発明において、前記変形規制部は、前記被係止突起が前記回路基板に係止されるとともに前記リアカバーが前記パネルに取り付けられた状態において、前記被係止部が撓み変形していない位置で前記被係止突起と当接する形状を有するのが好ましい（請求項２）。
【００１２】
このようにすれば、前記被係止部の前記特定方向他方側への撓み変形が規制され、前記被係止突起の前記特定方向他方側への変位が規制されるので、当該被係止突起の前記貫通孔からの抜けすなわち前記保持部材の回路基板からの離脱がより確実に抑制される。
【００１３】
また、本発明において、前記リアカバーは、前記パネルに、前記回路基板と平行な方向に相対変位可能に取り付けられて、前記保持部材は、前記回路基板に係止されている前記被係止突起の前記特定方向の他方側への変位を前記変形規制部が規制する位置に前記リアカバーを保持するリアカバー保持部を有するのが好ましい（請求項３）。
【００１４】
このように前記リアカバーが前記パネルに相対変位可能に取り付けられる場合において、前記回路基板に前記リアカバーを保持可能な前記リアカバー保持部が設けられていれば、このリアカバーを、その前記変形規制部が前記被係止突起の他方側への変位を規制する位置により確実に配置することができ、これら変形規制部によってより確実に被係止突起の前記貫通孔からの抜けを抑制することができる。
【００１５】
また、本発明において、前記被係止部は、前記回転操作ノブの回転周方向に互いに等間隔となる位置に複数設けられており、前記貫通孔は、前記各被係止部と対応する位置に形成されているのが好ましい（請求項４）。
【００１６】
このようにすれば、前記保持部材ひいては前記回転操作ノブがより安定して回路基板に係止される。
【発明の効果】
【００１７】
以上のように、本発明によれば、保持部材の回路基板への取り付けを容易としつつこの保持部材の回路基板からの離脱を抑制することができる。
【図面の簡単な説明】
【００１８】
【図１】本発明に係る操作装置がパネル部材に取り付けられた状態における概略正面図である。
【図２】図１に示す操作装置の概略分解斜視図である。
【図３】図１のＩＩＩ―ＩＩＩ線断面図である。
【図４】図１のＩＶ―ＩＶ線断面図である。
【図５】図１のＶ―Ｖ線断面図である。
【図６】図３のＶＩ―ＶＩ線断面図である。
【図７】本発明の他の実施形態に係る操作装置の概略断面図である。
【図８】従来の操作装置の側面図である。
【発明を実施するための形態】
【００１９】
本発明の好ましい実施形態について図面を参照しながら説明する。
【００２０】
図１は、本発明の操作装置１の正面図である。図２は、前記操作装置１の概略分解斜視図である。図３は、図１のＩＩＩ−ＩＩＩ線断面図である。図４は、図１のＩＶ−ＩＶ線断面図である。図５は、図１のＶ―Ｖ線断面図である。図６は、図３のＶＩ―ＶＩ線断面図である。
【００２１】
前記操作装置１は、パネル９０と、リアカバー１０と、回路基板２０と、蓋部３０と、回転操作ノブ１４０と、保持部材６０と、スプリング８２とスプリング８２の先端に固定されるプランジャ８４とを有している。前記回転操作ノブ１４０は、ダイアル部４０と、ダイアルホルダー５０とを有している。前記回路基板２０には、スイッチ素子７０が実装されている。
【００２２】
この操作装置１では、前記保持部材６０により、前記回転操作ノブ１４０が前記パネル９０とリアカバー１０との間で所定の方向に延びる回転軸Ｌを中心として回転するように保持されている。そして、前記回転操作ノブ１４０が回転操作を受けて回転することでこの回転操作ノブ１４０により前記スイッチ素子７０が操作され、スイッチ素子７０から回転操作ノブ１４０の回転量に応じた信号が出力される。本実施形態では、前記パネル９０と前記リアカバー１０と前記回路基板２０とはそれぞれ略板状部材であって、互いに平行に延びるように配置されており、前記回転軸Ｌは、これらパネル９０とリアカバー１０と回路基板２０と直交して延びている。
【００２３】
前記パネル９０の構造について説明する。
【００２４】
前記パネル９０は、操作装置１が自動車に取り付けられた際等においてこの自動車のインストゥルメントパネル等の一部を構成する部分である。このパネル９０の中央には、パネル９０の表裏を貫通する操作ノブ貫通孔９２が形成されている。パネル９０には、後方に向かって延びる複数のリアカバー取付部９９が設けられている。これらリアカバー取付部９９は、前記リアカバー１０および回路基板２０を保持するためのものである。各リアカバー取付部９９の後端には、ねじ９が螺合するねじ孔９９ａが形成されている。本実施形態では、前記回転軸Ｌを中心とする円周上に等間隔に４つのリアカバー取付部９９が設けられている。
【００２５】
前記回路基板２０の構造について説明する。
【００２６】
前記回路基板２０は、前記パネル９０の裏側すなわち後方に配置されている。この回路基板２０には、その表裏を貫通する複数の貫通孔２２と複数の位置決め用孔２４と複数の基板側ねじ挿通孔２９が形成されている。本実施形態では、４つの貫通孔２２と２つの位置決め用孔２４が形成されている。前記４つの貫通孔２２は、前記回転軸Ｌを中心とする円周上に等間隔に形成されており、それぞれこの円周方向に沿って所定量延びる形状を有している。前記２つの位置決め用孔２４は、前記回転軸Ｌを中心とする円周上に等間隔に形成されており、略円形を有している。前記基板側ねじ挿通孔２９は、前記リアカバー取付部９９に螺合するねじ９が挿通される部分であり、前記リアカバー取付部９９と対応する位置に形成されている。すなわち、本実施形態では、４つの基板側ねじ挿通孔２９が形成されている。また、これら基板側ねじ挿通孔２９は、前記貫通孔２２よりも前記回転操作ノブ１４０の回転径方向外側に形成されている。前記回路基板２０は、前記基板側ねじ挿通孔２９にねじ９が挿通されて、このねじ９が前記リアカバー取付部９９のねじ孔９９ａに螺合することで前記パネル９０に取り付けられる。
【００２７】
前記スイッチ素子７０の構造について説明する。
【００２８】
前記スイッチ素子７０は、スイッチ素子本体７２と、検出子７４とを有している。前記スイッチ素子本体７２は、前記回路基板２０に、この回路基板２０の表側方向すなわち前方に突出した状態で固定されている。前記検出子７４は、このスイッチ素子本体７２からさらに前方に突出している。この検出子７４は、回路基板２０と平行な方向に力を受けると、前方に突出した起立状態から回路基板２０と平行な方向に倒伏し、前記力が除去されると前記起立状態に復帰する。前記スイッチ素子本体７２は、前記検出子７４が倒伏するたびに所定の信号を出力する。
【００２９】
前記回転操作ノブ１４０の構造について説明する。
【００３０】
前述のように、前記回転操作ノブ１４０は、ダイアル部４０とダイアルホルダー５０とを有している。
【００３１】
前記ダイアル部４０は、使用者等により把持されて回転操作を受ける部分である。このダイアル部４０は、前記回転軸Ｌを中心としてこの回転軸Ｌ方向に延びる略円筒状を有している。このダイアル部４０の後端部には、前記ダイアルホルダー５０に係止されるダイアル被係止孔４０ａが設けられている。このダイアル部４０は、その前側部分が、前記パネル９０よりも前方に突出する状態で前記パネル９０の操作ノブ貫通孔９２内に挿通されており、このダイアル部４０の前側部分が、使用者により把持、操作される。
【００３２】
前記ダイアルホルダー５０は、内筒部５２と、外筒部５６と、この内筒部５２と外筒部５６とを連結する複数の連結部５４とを有している。これら内筒部５２と外筒部５６と連結部５４とは互いに一体に成形されている。
【００３３】
前記内筒部５２は、前記回転軸Ｌを中心としてこの回転軸Ｌ方向に延びる略円筒状を有している。
【００３４】
前記内筒部５２の外周面には、前記ダイアル部４０のダイアル被係止孔４０ａと係合するダイアル係止突起５２ｂが設けられている。これらダイアル被係止孔４０ａとダイアル係止突起５２ｂとの係合により、内筒部５２ひいてはダイアルホルダー５０は、内筒部５２の前側部分が前記ダイアル部４０の内側に挿入された状態で、前記ダイアル部４０と一体に回転可能に連結されている。
【００３５】
前記外筒部５６は、前記回転軸Ｌを中心としてこの回転軸Ｌ方向に延びる略円筒状を有している。この外筒部５６は、前記内筒部５２より大径であって前記内筒部５２を囲む形状を有している。
【００３６】
前記外筒部５６の後端には、後方に突出する複数のスイッチ操作突起５６ａが設けられている。これらスイッチ操作突起５６ａは、前記回転軸Ｌを中心とする回転周方向に並ぶ複数の位置に等間隔に設けられている。前記スイッチ素子７０は、このダイアルホルダー５０の前記スイッチ操作突起５６ａが並ぶ円周上に、その検出子７４がこれらスイッチ操作突起５６ａの回転周方向に沿って倒伏するように位置している。これらスイッチ操作突起５６ａは、前記スイッチ素子７０を通過するたびに、このスイッチ素子７０の前記検出子７４に側方から当接してこの検出子７４を倒伏させる。これにより、前記スイッチ素子７０は、このスイッチ操作突起５６ａの通過量すなわちダイアルホルダー５０およびダイアル部４０からなる回転操作ノブ１４０の回転量に応じた信号を出力する。
【００３７】
なお、前記スイッチ素子７０は、前記検出子７４の倒伏方向すなわち前記回転操作ノブ１４０の回転方向に応じて異なる信号を出力するものであってもよいし、周方向の一方向に倒伏した場合すなわち前記回転操作ノブ１４０が正回転方向あるいは逆回転方向のいずれか一方向に回転操作された場合にのみ信号を出力するものであってもよい。
【００３８】
前記外筒部５６の前端には、回転径方向外側に広がる鍔部５６ｂが設けられている。この鍔部５６ｂの外周端は、その全周にわたって前記回路基板２０と平行に延びている。
【００３９】
前記外筒部５６の前記スイッチ操作突起５６ａと前記鍔部５６ｂとの間の部分の外周面５６ｃは、前記スプリング８２とプランジャ８４とともに使用者に良好な操作感を与えるための操作感付与機構を構成している。この外周面５６ｃには、外側に突出する凸部が周方向に等間隔で形成されている。
【００４０】
前記スプリング８２は、前記保持部材６０に回路基板２０と平行な方向に圧縮変形された状態で固定されており、前記外筒部５６の外周面５６ｃにはこのスプリング８２の弾性反力によりこのスプリング８２の先端に固定された前記プランジャ８４が押し付けられている。前記ダイアル部４０が回転操作されるに伴い前記ダイアルホルダー５０が回転して、前記プランジャ８４が押し付けられる箇所が前記凸部とこの凸部間の部分とで変化すると、前記スプリング８２は回路基板２０と平行な方向に伸縮する。このスプリング８２の伸縮に伴いスプリング８２から前記ダイアルホルダー５０およびダイアル部４０に加えられる力が変化することで、使用者には良好なクリック感が与えられる。
【００４１】
前記連結部５４は、前記内筒部５２の後端部から前記外筒部５６の後端部まで径方向外側に延びて、これら後端部どうしをそれぞれ連結している。本実施形態では、各連結部５４は、回転軸Ｌを中心とする円周上に互いに等間隔に設けられている。
【００４２】
前記蓋部３０の構造について説明する。
【００４３】
前記蓋部３０は、前記ダイアル部４０の前端の開口部分を覆うものである。この蓋部３０の表側面３２は、前記回転軸Ｌを中心とする円板状を有しており、この表側面３２の裏側からは後方に前記回転軸Ｌを囲む角筒状の角筒部３４が延びている。この蓋部３０は、前記保持部材６０により、前記ダイアル部４０の内側面で囲まれた位置であって、その表側面３２が前記ダイアル部４０の前端の開口部分を覆う位置に保持されている。
【００４４】
前記保持部材６０の構造について説明する。
【００４５】
前記保持部材６０は、前記回転操作ノブ１４０を回転可能に保持するとともに、前記蓋部３０を保持するためのものである。この保持部材６０は、内側保持部６２と、外側保持部６６と、これら内側保持部６２と外側保持部６６とを連結する保持部材連結部６４と、複数の位置決めボス（リアカバー保持部）６９とを有している。これら内側保持部６２と外側保持部６６と保持部材連結部６４と位置決めボス６９とは互いに一体に成形されている。
【００４６】
前記内側保持部６２は、前記回転軸Ｌを中心とする略円筒状を有している。この内側保持部６２は、前記蓋部３０の表側面３２が前記ダイアル部４０の前端の開口部分を覆う位置で前記蓋部３０の角筒部３４を回転不能に保持している。また、前記ダイアルホルダー５０の内側にはこの内側保持部６２が挿入されており、前記ダイアルホルダー５０は、この内側保持部６２によってその径方向の移動が規制されている。前記ダイアルホルダー５０は、前記ダイアル部４０を介して回転操作を受けると、その内側面がこの内側保持部６２の外周面にそって摺動することで前記回転軸Ｌ周りに回転する。
【００４７】
前記外側保持部６６は、前記回転軸Ｌを中心としてこの回転軸Ｌ方向に延びる略円筒状を有している。この外側保持部６６は、前記内側保持部６２より大径であって、前記内側保持部６２を囲む形状を有している。前記外側保持部６６は、複数の被係止部６７と、複数のホルダー支持部６８とを有している。
【００４８】
前記ホルダー支持部６８は、前後方向および回転周方向に沿って延びる形状を有している。本実施形態では、４つのホルダー支持部６８が、回転周方向に互いに等間隔に設けられている。各ホルダー支持部６８の前端部には、前記回路基板２０と平行に回転周方向に沿って延びるホルダー支持面６８ａが形成されている。このホルダー支持面６８ａは、前記ダイアルホルダー５０の鍔部５６ｂの後端面に後方から当接している。この当接により、前記ダイアルホルダー５０はその後方への移動が規制されている。
【００４９】
前記被係止部６７は、前後方向および回転周方向に延びる板状部材である。これら被係止部６７は、前記回路基板２０に形成された貫通孔２２にそれぞれ挿通されるように構成されており、これら貫通孔２２に対応する位置にそれぞれ設けられている。すなわち、本実施形態では、４つの被係止部６７が回転周方向に互いに等間隔に設けられている。
【００５０】
前記被係止部６７は、前後方向に延びる板部６７ｃと、前端に設けられてこの板部６７ｃの回転径方向内側面よりも径方向内側に突出する係止突起６７ａと、後端に設けられてこの板部６７ｃの回転径方向外側面よりも径方向外側に突出する被係止突起６７ｂとを有している。各被係止部６７は、前記ホルダー支持部６８間に配置されてこれらホルダー支持部６８により支持されている。各被係止部６７は、その前後方向中央部分においてのみ前記ホルダー支持部６８に連結支持されており、この前後方向中央部分を中心として回転径方向に容易に撓み変形可能となっている。
【００５１】
前記係止突起６７ａは、前記ダイアルホルダー５０の鍔部５６ｂの前方への移動を規制する部分である。各係止突起６７ａは、前記ダイアルホルダー６０の鍔部５６ｂの前端面に前方から当接してこの鍔部５６ｂの前方への移動を規制している。
【００５２】
具体的には、各係止突起６７ａは、前記鍔部５６ｂよりも回転径方向外側に位置する前記板部６７ｃから、前記鍔部５６ｂよりも回転径方向内側の位置まで突出する形状を有している。そして、各係止突起６７ａは、前記各被係止部６７の前側部分が回転径方向外側に撓み変形するのに伴い前記鍔部５６ｂよりも回転径方向外側の位置まで変位することで、前記ダイアルホルダー５０がこれら係止突起６７ａで囲まれた領域に挿入されるのを許容し、前記ダイアルホルダー５０が係止突起６７ａよりも後方に移動すると、前記被係止部６７の弾性復帰に伴い前記鍔部５６ｂよりも回転径方向内側の位置まで移動して、前記鍔部５６ｂの前端面と当接する。
【００５３】
このように、前記ダイアルホルダー５０は、前記保持部材６０の内側保持部６２と、外側保持部６６のホルダー支持部６８と、被係止部６７の係止突起６７ａとによって回転径方向および前後方向の移動が規制されて、この保持部材６０により回転可能に保持されている。
【００５４】
前記各被係止突起６７ｂは、前記回路基板２０に係止される部分である。これら被係止突起６７ｂは、前記回路基板２０の貫通孔２２に挿通されてこの回路基板２０の後端面に後方から当接する位置に配置されており、この回路基板２０によりその前方への移動が規制されている。
【００５５】
具体的には、前記被係止突起６７ｂは、その回転径方向の幅が前記貫通孔２２の回転径方向の幅よりも小さく設定されるとともにその回転周方向の幅が前記貫通孔２２の回転周方向の幅とほぼ同等に設定されており、前記回路基板２０の貫通孔２２を挿通可能な形状を有している。また、前記被係止突起６７ｂは、この貫通孔２２の回転径方向外側面２２ａよりも回転径方向内側に位置する前記板部６７ｃから、この貫通孔２２の外側面２２ａよりも回転径方向外側の位置まで突出する形状を有している。
【００５６】
前記のように構成された前記被係止突起６７ｂは、前記被係止部６７の後側部分が回転径方向内側に撓み変形するのに伴い前記貫通孔２２の外側面２２ａよりも回転径方向内側の位置まで変位することで前記貫通孔２２に挿通される。そして、前記被係止突起６７ｂは、この貫通孔２２を通過して前記回路基板２０の後方に移動すると、前記被係止部６７の弾性復帰に伴い前記貫通孔２２の外側面２２ａよりも回転径方向外側の位置まで移動して回路基板２０の裏側面に当接しこの回路基板２０に係止される。
【００５７】
なお、前記被係止突起６７ｂの回転径方向外側面は、前方に向かうほど回転径方向外側に傾斜しており、前記貫通孔２２を前方から容易に通過できるようになっている。また、前記被係止突起６７ｂの前端面は回路基板２０と平行に延びており、この前端面が前記回路基板２０の後端面と当接することで回路基板２０に安定して係止されている。
【００５８】
このようにして、前記被係止突起６７ｂが回路基板２０に係止されることで、前記保持部材６０はその前方への移動が規制されてこの回路基板２０に係止される。ここで、前記被係止突起６７ｂが回路基板２０に係止されている状態において、前記被係止部６７の前記板部６７ｃは前記貫通孔２２に挿通されており、この板部６７ｃの回転周方向両端面が前記貫通孔２２の内側面の回転周方向の両端面に当接することで、前記保持部材６０の回転周方向の移動が規制されている。
【００５９】
前記保持部材連結部６４は、前記内側保持部６２の後端部から前記外側保持部６６の後端部まで径方向外側に延びてこれら後端部どうしを連結している。この保持部材連結部６４は、内側保持部６２と外側保持部６６とを回転周方向全体にわたって連結している。
【００６０】
前記位置決めボス６９は、前記保持部材連結部６４の後端面から後方に延びる略円柱部材である。これら位置決めボス６９は、前記回路基板２０に形成された位置決め用孔２４に挿入される部分であり、前記位置決め用孔２４に挿入可能な形状を有しているとともに、これら位置決め用孔２４に対応する位置にそれぞれ設けられている。すなわち、本実施形態では、２つの位置決めボス６９が回転周方向に互いに等間隔に設けられている。これら位置決めボス６９は、前記位置決め用孔２４に、回路基板２０の後端面から後方に突出する状態で挿入されるとともに、さらに後方において、前記リアカバー１０の後述するボス受け部１８内に挿入されている。
【００６１】
前記リアカバー１０の構造について説明する。
【００６２】
前記リアカバー１０は、前記回路基板２０を裏側から覆うためのものである。前記リアカバー１０は、被覆部１２と、複数の変形規制部１４と、補強部１６と、複数のボス受け部１８と、複数のパネル被取付部１９とを有している。
【００６３】
前記被覆部１２は、前記回路基板２０と平行に延びる底部１２ａとこの底部１２ａの外周から前記回路基板２０側に突出する外壁１２ｂとを有する箱状部材である。この被覆部１２は、前記外壁１２ｂで囲まれた領域内に前記回路基板２０が収容されて前記底部１２ａが回路基板２０を裏側から覆う位置に配置されている。
【００６４】
前記パネル被取付部１９は、前記パネル９０に設けられたリアカバー取付部９９に螺合する前記ねじ９が挿通される部分である。これらパネル被取付部１９は、前記被覆部１２の底部１２ａから前方に突出する有底の円柱状を有しており、その底部を構成する表側端部にはその中央に前後方向に貫通して前記ねじ９が挿通可能なリアカバー側ねじ挿通孔１９ａが形成されている。これらパネル被取付部１９は、前記リアカバー取付部９９と対応する位置に設けられており、本実施形態では、４つのパネル被取付部１９が設けられている。前記リアカバー１０は、前記リアカバー側ねじ挿通孔１９ａにねじ９が挿通されて、このねじ９が前記リアカバー取付部９９のねじ孔９９ａに螺合することで前記パネル９０に取り付けられる。より詳細には、前記ねじ９は、前記リアカバー側ねじ挿通孔１９ａに挿通されるとともに、前記回路基板２０に形成された基板側ねじ挿通孔２９に挿通された状態で、前記リアカバー取付部９９のねじ孔９９ａと螺合しており、これにより、リアカバー１０は、前記パネル９０との間に前記回路基板２０を挟みこんだ状態でパネル９０に取り付けられる。ここで、リアカバー１０を前記パネル９０により容易に取り付けるために、前記リアカバー側ねじ挿通孔１９ａの孔径はねじ９の外径よりも大きく設定されており、リアカバー１０は、パネル９０に対して回路基板２０と平行な方向に相対変位可能に取り付けられている。
【００６５】
前記変形規制部１４は、前記保持部材６０の各被係止突起６７ｂに当接してこれら被係止突起６７ｂの変位をそれぞれ規制するためのものである。本実施形態では、前記４つの被係止突起６７ｂに対応して、４つの変形規制部１４が、回転周方向に沿って互いに等間隔に設けられている。
【００６６】
前記変形規制部１４は、前記被覆部１２の底部１２ａから前方すなわち回路基板２０に向かって突出して回転周方向に沿って延びる板状部材である。具体的には、前記変形規制部１４は、前記リアカバー１０がパネル９０に取り付けられた状態において、前記回路基板２０に係止された前記被係止突起６７ｂの後端よりも前方にまで延びて、その回転径方向外側面が前記回路基板２０に係止された前記被係止突起６７ｂの回転径方向内側面と面接触する形状を有している。前記変形規制部１４は、その外側面が前記被係止突起６７ｂの内側面と当接することで、この被係止突起６７ｂの回転径方向内側への変位を規制している。本実施形態では、前記変形規制部１４の外側面は、前記係止部６７が撓み変形しておらず前記被係止突起６７ｂが変位していない状態で、この被係止突起６７ｂの内側面と接触している。
【００６７】
前述のように、前記被係止突起６７ｂは、前記係止部６７の撓み変形に伴い径方向内側へ変位することで前記貫通孔２２を通過することができる。従って、前記被係止突起６７ｂは、前記変形規制部１４によりその径方向内側方向への移動が規制されることで前記挿通孔２２を通過不能となり前記回路基板２０に係止された状態で拘束される。
【００６８】
前記補強部１６は、前記変形規制部１４の変形を抑制するためのものである。これら補強部１６は、回転径方向に延びる板状部材であって互いに対向する変形規制部１４の周方向端部どうしを連結している。すなわち、これら補強部１６は前記変形規制部１４から径方向内側に延びており、これら補強部１６は、前記変形規制部１４の径方向内側への変形を規制している。これにより各変形規制部１４と当接している前記被係止突起６７ｂの径方向内側への変位がより確実に規制されている。
【００６９】
前記ボス受け部１８は、その内側に前記位置決めボス６９が挿入される部分であり、本実施形態では、前記２つの位置決めボス６９に対応して２つのボス受け部１８が設けられている。これらボス受け部１８は、前記被覆部１２の底部１２ａから前方すなわち回路基板２０側に突出する略円筒状を有している。本実施形態では、前記ボス受け部１８は、前記回路基板２０の裏側面と当接する位置まで延びている。
【００７０】
前記ボス受け部１８の内径は、その内周面に前記位置決めボス６９の外周面が当接する大きさに設定されており、前記位置決めボス６９が前記ボス受け部１８に挿入されることで、前記ボス受け部１８を有する前記リアカバー１０は前記保持部材６０に前記回路基板２０と平行な方向に相対変位不能に保持される。
【００７１】
前記ボス受け部１８は、前記変形規制部１４が前記被係止突起６７ｂと当接している状態でその内側に前記位置決めボス６９が挿入される位置に設けられている。そのため、前記ボス受け部１８に前記位置決めボス６９が挿入されることで、前記リアカバー１０は、前記変形規制部１４が前記被係止突起６７ｂに当接する位置に、前記保持部材６０と回路基板２０と平行な方向に相対変位不能に保持される。
【００７２】
ここで、前記位置決めボス６９は、前記被係止突起６７ｂよりも後方に延びている。一方、前記変形規制部１４と前記ボス受け部１８とはほぼ同じ位置まで前方に延びている。従って、前記リアカバー１０を前記回路基板２０の裏側に配置する際には、まず、前記位置決めボス６９が前記ボス受け部１８内に挿入されて、この挿入により前記リアカバー１０が保持部材６０により保持される。そして、この状態から、リアカバー１０が前方に押し出されることで、前記各変形規制部１４は前記被係止突起６７ｂに沿って摺動しつつ前方に移動し、各変形規制部１４と前記被係止突起６７ｂとの当接が実現される。本実施形態では、前記変形規制部１４が被係止突起６７ｂに沿って容易に摺動するように、変形規制部１４の径方向外側面の前端部は前方に向かうにしたがって被係止突起６７ｂと離間するように傾斜しているとともに、被係止突起６７ｂの径方向内側面の後端部は後方に向かうにしたがって変形規制部１４と離間するように傾斜している。
【００７３】
以上のように、本操作装置１では、前記保持部材６０の被係止部６７を撓み変形させて前記被係止突起６７ｂを回転径方向内側に変位させつつこの被係止突起６７ｂを前記貫通孔２２に挿通するとともに前記パネル９０に前記リアカバー１０を取り付けるという簡単な作業で、前記被係止突起６７ｂを前記回路基板２０に係止された状態に拘束して前記保持部材６０の回路基板２０からの離脱をより確実に抑制することができる。
【００７４】
特に、前記変形規制部１４が前記リアカバー１０に設けられているので、前述のように前記リアカバー１０を前記パネル９０に取り付けるだけで変形規制部１４により被係止突起６７ｂを回路基板２０に係止された状態に拘束することができる上に、この変形規制部１４を別部材として構成する場合に比べて、部品点数を少なく抑えることができる。
【００７５】
ここで、前記変形規制部１４と被係止突起６７ｂとの相対位置は前記に限らず、前記変形規制部１４は、前記被係止突起６７ｂがその突出向きと反対の向き、すなわち被係止突起６７ｂが前記挿通孔２２を通過可能な向き、に通過可能な所定量変位するのを規制する位置に配置されていればよい。例えば、前記変形規制部１４は、前記被係止部６７が前記通過可能な向きと反対向きに撓み変形しておりこの通過可能な向きと反対の向きに変位している状態の被係止突起６７ｂと当接する位置に設けられていてもよい。また、前記変形規制部１４は、前記所定量未満の範囲で、前記変位していない被係止突起６７ｂから前記通過可能な向きに離間していてもよい。ただし、前記変形規制部１４が、前記被係止部６７が撓み変形しておらず前記被係止突起６７ｂが変位していない状態でこの被係止突起６７ｂと当接する位置に配置されていれば、被係止突起６７ｂの変位を規制して被係止突起６７ｂの前記貫通孔２２からの抜けをより確実に抑制することができるとともに、被係止突起６７ｂが撓み変形した状態で保持されることでこの被係止突起６７ｂに過剰な応力が付与されるのを回避することができる。
【００７６】
また、前記被係止突起６７ｂの突出方向は前記に限らない。例えば、前記被係止突起６７ｂを回転径方向内側に突出する形状とし、前記変形規制部１４を前記被係止突起６７ｂに径方向外側からこの被係止突起６７ｂに当接する形状としてもよい。
【００７７】
また、前記被係止突起６７ｂの数および配置は前記に限らない。ただし、これら被係止突起６７ｂを回転周方向に互いに等間隔となる位置に配置すれば、保持部材６０がより安定して回路基板２０に係止される。
【００７８】
また、前記リアカバー１０を前記保持部材６０に保持するための具体的構成は、前記位置決めボス６９が前記ボス受け部１８に挿入される構成に限らない。また、このリアカバー１０を保持部材６０に保持する構成は省略可能である。ただし、この構成により、前記変形規制部１４が前記被係止突起６７ｂの変位を規制する位置に前記リアカバー１０が保持されれば、前記リアカバー１０をこの変形規制部１４が被係止突起６７ｂの変位を規制する位置に、より確実に、かつ、より容易に配置することができる。特に、前記リアカバー１０が前記パネル９０に対して相対変位可能に取り付けられてリアカバー１０がパネル９０に対して位置決めされない場合に有用である。
【００７９】
また、前記保持部材６０が前記回転操作ノブ１４０を保持する構成、前記回転操作ノブ１４０の具体的構成、前記スイッチ素子７０の具体的構成は前記に限らない。
【００８０】
例えば、図７に示すように、前記保持部材６０およびスイッチ素子７０等に代えて、前記保持部材６０と前記スイッチ素子７０の機能を含むロータリーエンコーダ素子１５０を用いてもよい。具体的には、このロータリーエンコーダ素子１５０は、前記回転操作ノブ１４０を保持して前記保持部材６０として機能する保持部１６０と、前記回転操作ノブ１４０と一体に回転可能に連結された状態で前記保持部１６０に回転可能に保持されている検出子１７０と、この検出子１７０の回転量に応じた信号を出力する出力部とを有している。
【００８１】
このロータリーエンコーダ素子１５０では、前記保持部１６０の後端に、前記被係止突起１６７ｂを有する被係止部１６７が設けられるとともに、前記位置決めボス１６９が設けられている。そして、前記位置決めボス１６９が前記ボス受け部１８に挿入されているとともに、前記リアカバー１０の変形規制部１４が前記回路基板２０に係止されている前記被係止突起１６７ｂと当接してこの被係止突起１６７ｂの変位を規制しており、前記ロータリーエンコーダ素子１５０が回路基板２０から離脱するのが抑制された状態でこの回路基板２０に保持されている。
【符号の説明】
【００８２】
１    操作装置
１０    リアカバー
１４    変形規制部
２０    回路基板
２２    貫通孔
４０    ダイアル部
５０    ダイアルホルダー
６０    保持部材
６７    被係止部
６７ｂ    被係止突起
６９    位置決めボス（リアカバー保持部）
７０    スイッチ素子
９０    パネル
【図１】
2011249097.tif 000003
【図２】
2011249097.tif 000004
【図３】
2011249097.tif 000005
【図４】
2011249097.tif 000006
【図５】
2011249097.tif 000007
【図６】
2011249097.tif 000008
【図７】
2011249097.tif 000009
【図８】
2011249097.tif 000010